(57)【要約】【課題】  携帯型の情報端末機器に用いられる小型の液晶モジュールにおいて、フレキシブル基板側を覆う背面カバーの膨らみによる影響を抑えた液晶モジュールを提供することにある。【解決手段】  両面液晶モジュール１を構成するメイン液晶パネル２０の下方側に配置された箱状の背面カバー６０であって、箱状の背面カバー６０の底面には、第１底部である浅底部６１、と第２底部である深底部６２とがあり、浅底部６１はメイン液晶パネル２０の額縁エリアＸにのみ形成されており、このような構成により、深底部６２とメイン液晶パネル２０の表示エリアＷとの実質的な距離を離すことができる。【選択図】      図３
2007086672.tif 000002
【特許請求の範囲】
【請求項１】
液晶パネルと、前記液晶パネルの背面側に配置された回路基板と、前記液晶パネルと前記回路基板を覆う箱状の背面カバーを備えた液晶モジュールであって、
前記背面カバーの底面には浅底の第１底部と深底の第２底部とがあり、前記第１底部は前記液晶パネルの表示エリア周辺の額縁エリアにのみ形成されていることを特徴とする液晶モジュール。
【請求項２】
液晶パネルと、前記液晶パネルの背面側に配置されたバックライトと、前記液晶パネルの背面側に配置された回路基板と、前記液晶パネルと前記背面側から覆う箱状の背面カバーを備えた液晶モジュールであって、
前記背面カバーの底面には浅底の第１底部と深底の第２底部とがあり、前記第１底部は前記液晶パネルの表示エリア周辺の額縁エリアにのみ形成されていることを特徴とする液晶モジュール。
【請求項３】
メイン液晶パネルと、前記メイン液晶パネルの背面側に配置された回路基板と、前記メイン液晶パネルの背面側に配置されたサブ液晶パネルと、前記メイン液晶パネルと前記回路基板と前記サブ液晶パネルを覆いかつ前記サブ液晶パネルを露出する開口を備えた箱状の背面カバーを備えた両面液晶モジュールであって、
前記背面カバーの底面には浅底の第１底部と深底の第２底部とがあり、前記第１底部は前記メイン液晶パネルの表示エリア周辺の額縁エリアにのみ形成されていることを特徴とする両面液晶モジュール。
【請求項４】
メイン液晶パネルと、前記メイン液晶パネルの背面側に配置されたバックライトと、前記メイン液晶パネルの背面側に配置された回路基板と、前記メイン液晶パネルの背面側に配置されたサブ液晶パネルと、前記メイン液晶パネルと前記回路基板と前記サブ液晶パネルを覆いかつ前記サブ液晶パネルを露出する開口を備えた箱状の背面カバーを備えた両面液晶モジュールであって、
前記背面カバーの底面には浅底の第１底部と深底の第２底部とがあり、前記第１底部は前記メイン液晶パネルの表示エリア周辺の額縁エリアにのみ形成されていることを特徴とする両面液晶モジュール。
【請求項５】
前記第２底部の深さは、前記サブ液晶パネルよりも浅い、若しくは同じであることを特徴とする請求項３または４に記載の両面液晶モジュール。
【発明の詳細な説明】
【技術分野】
【０００１】
この発明は、携帯電話機、ＰＤＡ等な携帯端末機器として用いる上で最適な液晶モジュールに関するものであり、更には、携帯端末機器の一方側及び他方側において表示をできる両面表示型のものとして最適な液晶モジュールに関する。
【背景技術】
【０００２】
近年では、携帯電話、ＰＤＡ等の携帯型の情報端末機器が広く普及している。これらの機器の中でも、特に携帯電話機は、本来の電話としての機能だけでなく、デジタルカメラとしての機能、またインターネットに接続して、種々の機能、例えば電子メール、情報検索、ナビゲーション等々の機能を備え、日常生活において欠かせないものとなっている。
【０００３】
このように高機能化する携帯電話は、所謂ハード面でも、利便性、軽量化及び携帯性がより追求され、多種のタイプのものが開発され、製品化されている。例えば従来よくみられたストレートタイプに代わり、最近では折り畳み式の携帯電話がよくみうけられる。
【０００４】
そしてこの折り畳み式の携帯電話においても、従来は携帯電話を伸ばした状態で使用するものであり、その状態で情報を表示していた。そのため情報を表示するための画面は一つでよく、このような１画面式のものがよくみられていた。しかし最近では携帯電話を折り畳んだ状態でも、着信相手の名前や現在時刻等の簡単な情報を表示するようになり、そのためのサブ画面を備えた２画面式のものがよくみうけられる。
【０００５】
この２画面式の携帯電話に用いられる表示用のモジュールとして、特許文献１に記載されているような両面液晶モジュールがある。
【０００６】
図４は、特許文献１に記載された両面液晶モジュールの分解斜視図である。この両面液晶モジュールは、２画面式の携帯電話におけるメインの表示画面として用いるメイン液晶パネル７１と、このメイン液晶パネル７１を収容するホルダ７２と、導光板や光学シート等から構成されたバックライト７３と、フレキシブル基板７４と、２画面式の携帯電話におけるサブの表示画面として用いるサブ液晶パネル７６とから構成されている。
【０００７】
そして、この両面液晶モジュールは、次のようにして組み立てられる。まず、バックライト７３は、ホルダ７２の内側に挿入されて、このバックライト７３の図４における底面側にメイン液晶パネル７１が貼り付けられる。またバックライト７３の上面側には、フレキシブル基板７４が配置され、このフレキシブル基板７４の上にサブ液晶パネル７６が枠体７７でホルダ７２に固定されている。
【０００８】
しかし、このような両面液晶モジュールを、携帯電話の表示ハウジングにそのまま収容してしまうと、バックライト７３にフレキシブル基板７４が載置されたままで、露出した状態にあるので、フレキシブル基板７４に形成された回路パターンや載置された回路素子に塵等が付着しやすく、また衝撃により破損する恐れが生じる。
【０００９】
そこで、例えば特許文献２に記載さているような構造の液晶モジュールも考えられる。この液晶モジュールは、メイン液晶パネルの背面側に位置するフレキシブル基板を背面カバーで覆ってしまう構成である。そしてまた、この背面カバーにサブ液晶パネルより若干小さい開口部を設けておき、この開口部上にサブ液晶パネルを載置する構成である。
【特許文献１】特開２００３−３３０３７７号公報（図２、段落［０００６］〜［０００７］、［００３２］〜［００３４］）
【特許文献２】特開２００３−２０７８０１号公報（図３、段落［００１３］〜［００１９］）
【発明の開示】
【発明が解決しようとする課題】
【００１０】
特許文献２のような液晶モジュールは、携帯電話内でフレキシブル基板が露出する特許文献１の液晶モジュールに比べると、携帯電話用の液晶モジュールとして適している。それは、携帯電話は常に所有者が所持し、様々な環境下で利用されるため、フレキシブル基板が背面カバーによって保護されているからである。
【００１１】
しかし、特許文献２のようにフレキシブル基板と背面カバーとの間が非常に狭いと、振動により背面カバーがフレキシブル基板側に膨らみ、フレキシブル基板を逆に傷つける恐れがある。またフレキシブル基板を傷つけるだけでなく、膨らみによってバックライト等を押し上げたりする恐れがある。このような押し上げは、バックライトを構成する各種光学シートのずれが生じたり、メイン液晶パネルが破損したりする等の恐れがある。
【００１２】
特に、携帯電話等の携帯型の情報端末機器は、通常所有者のポケットなど、狭い空間に収納されている。したがって、長時間、機器そのものが押圧された状態となっているので、その力が背面カバーにも伝わり、フレキシブル基板側に撓んだ状態になりやすいので、上記した問題が生じる恐れも非常に高い。
【００１３】
そこで、本発明は、このような従来技術が抱える課題を解決するためになされたものであり、本発明の目的は、携帯型の情報端末機器に用いられる小型の液晶モジュールにおいて、フレキシブル基板側を覆う背面カバーの膨らみによる影響を抑えた液晶モジュールを提供することにある。
【課題を解決するための手段】
【００１４】
上記目的を達成するため、本発明の請求項１に記載の液晶モジュールは、液晶パネルと、前記液晶パネルの背面側に配置された回路基板と、前記液晶パネルと前記回路基板を覆う箱状の背面カバーを備えた液晶モジュールであって、前記背面カバーの底面には浅底の第１底部と深底の第２底部とがあり、前記第１底部は前記液晶パネルの表示エリア周辺の額縁エリアにのみ形成されていることを特徴とする。
【００１５】
また請求項２に記載の液晶モジュールは、液晶パネルと、前記液晶パネルの背面側に配置されたバックライトと、前記液晶パネルの背面側に配置された回路基板と、前記液晶パネルと前記背面側から覆う箱状の背面カバーを備えた液晶モジュールであって、前記背面カバーの底面には浅底の第１底部と深底の第２底部とがあり、前記第１底部は前記液晶パネルの表示エリア周辺の額縁エリアにのみ形成されていることを特徴とする。
【００１６】
また請求項３に記載の両面液晶モジュールは、メイン液晶パネルと、前記メイン液晶パネルの背面側に配置された回路基板と、前記メイン液晶パネルの背面側に配置されたサブ液晶パネルと、前記メイン液晶パネルと前記回路基板と前記サブ液晶パネルを覆いかつ前記サブ液晶パネルを露出する開口を備えた箱状の背面カバーを備えた液晶モジュールであって、前記背面カバーの底面には浅底の第１底部と深底の第２底部とがあり、前記第１底部は前記メイン液晶パネルの表示エリア周辺の額縁エリアにのみ形成されていることを特徴とする。
【００１７】
また請求項４に記載の両面液晶モジュールは、メイン液晶パネルと、前記メイン液晶パネルの背面側に配置されたバックライトと、前記メイン液晶パネルの背面側に配置された回路基板と、前記メイン液晶パネルの背面側に配置されたサブ液晶パネルと、前記メイン液晶パネルと前記回路基板と前記サブ液晶パネルを覆いかつ前記サブ液晶パネルを露出する開口を備えた箱状の背面カバーを備えた液晶モジュールであって、前記背面カバーの底面には浅底の第１底部と深底の第２底部とがあり、前記第１底部は前記メイン液晶パネルの表示エリア周辺の額縁エリアにのみ形成されていることを特徴とする。
【発明の効果】
【００１８】
本発明は、上記構成を有することにより、第１底部により液晶パネル等を支持することができる、表示エリアにおいては背面カバーを遠ざけることができるので、液晶パネル等を背面側から覆う背面カバーの膨らみによる影響を抑えた液晶モジュールを提供することができる。
【００１９】
特に、メインの液晶パネルとサブの液晶パネルを備えた両面液晶モジュールにおいて、フレキシブル基板等を保護するための背面カバーを備えたことによって生じる背面カバーの膨らみによる影響を抑えた両面液晶モジュールを提供することができる。
【００２０】
更には、深底の第２底部の深さはサブ液晶パネルよりも浅い若しくは同じなので、両面液晶モジュール自体が厚くなることを抑えることができる。
【発明を実施するための最良の形態】
【００２１】
本発明の液晶モジュールは、液晶モジュールを構成する液晶パネルの下方側に配置された箱状の背面カバーであって、箱状の背面カバーの底面には、浅底の第１底部と深底の第２底部とがあり、第１底部は液晶パネルの額縁エリアにのみ形成されていることを特徴とするものである。
【００２２】
以下、図面を参照して本発明の最良の実施形態を説明する。但し、以下に示す実施形態は、本発明の技術思想を具体化するための液晶モジュールを例示するものであって、本発明をこの液晶モジュールに特定することを意図するものではなく、特許請求の範囲に含まれるその他の実施形態のものも等しく適応しうるものである。
【実施例】
【００２３】
図１（ａ）は本発明の一実施例に係る液晶モジュールを上側から観察した斜視図であり、図１（ｂ）は下側から観察した斜視図である。また図２（ａ）は図１（ｂ）に示した下側からの液晶モジュールの左側（Ｌ）から観察した分解斜視図であり、図２（ｂ）は右側（Ｒ）から観察した分解斜視図である。更に、図３（ａ）は図１（ｂ）のＡ−Ａ’線で切断した断面図であり、図３（ｂ）はＢ−Ｂ’線で切断した断面図である。なお、図３の両断面図は、図２（ｂ）の上下を逆にして示している。
【００２４】
実施例における符号１は、２画面式の携帯電話に用いられる両面液晶モジュールである。この両面液晶モジュール１は、メイン液晶パネル２０と、メイン液晶パネル２０の背面側に位置するバックライト３０と、バックライト３０の背面側に位置する補強板４０と、補強板４０の背面に位置するサブ液晶パネル５０と、サブ液晶パネル５０の背面に位置する背面カバー６０と、から構成されている。
【００２５】
メイン液晶パネル２０は、一般的な液晶パネルと同様であり、液晶（図示せず）を一対のガラス基板からなる第１、第２基板２１ａ、２１ｂで貼り合わせた構成である。そして第１基板２１ａ、第２基板２１ｂのそれぞれには、液晶が狭持されている側とは反対の側において、偏光板２２ａ、２２ｂが貼り付けられている。
【００２６】
このメイン液晶パネル２０には、図１（ａ）と図３のＷで示した表示エリアと、表示エリアＷの周りの額縁エリアＸとを有している。この表示エリアＷは、第１基板２１ａ、第２基板２１ｂにおいて、基板上に走査線や映像線、スイッチング素子、画素電極、またＣＦ等が形成され、携帯電話を使用する際、実際に様々な情報が表示される領域を示している。額縁エリアＸは、表示エリアＷを囲むエリアで、スイッチング素子に接続する走査線や映像線と接続する引回配線が形成されていたり、基板を貼り付けるシール材が塗布されていたり、表示を行うためのドライバ２３が第２基板２１ｂ側に載置されていたりする。つまり、メイン液晶パネル２０において、実際に表示が行われない領域のことを示している。なお、この表示エリアＷ、額縁エリアＸについては、メイン液晶パネル２０がアクティブマトリクスタイプでも、パッシブマトリクスタイプでも同様である。
【００２７】
またメイン液晶パネル２０には、第２基板２１ｂ側と接続し、第２基板２１ｂの裏面側に折り曲げられるメインフレキシブル基板２４を備えている。このメインフレキシブル基板２４には、携帯電話本体からのメイン制御信号等が入力されるコネクタ２５や電源のための回路、各種回路素子２６´、また後述するサブ液晶パネル５０から伸びるサブフレキシブル基板５４の端子部が挿入されるコネクタ２６等が形成されており、両面液晶モジュール１で表示を行うために必要な各種信号がメインフレキシブル基板２４において生成されることになる。メインフレキシブル基板２４は表示エリアＷ内において、サブ液晶パネル５０を囲むようなコの字状に整形することで、各種の配線や回路素子の積層面積を確保している。なおこのメインフレキシブル基板２４は図２においては、メイン液晶パネルの裏側に位置し、メインフレキシブル基板２４の上にバックライト３０が位置しているが、実際には補強板４０の上側（図３では補強板４０の下側）に位置する。
【００２８】
バックライト３０は、表側と裏側の両方に光をそれぞれ導出する導光板３１と、導光板３１の表裏両側に配置された光学シート３２ａ、３２ｂと、導光板３１と光学シート３２ａ、３２ｂが保持する枠体３３を備えている。
【００２９】
導光板３１は、厚さ０．６ｍｍ程度の肉薄な板状体からなり、ＬＥＤなどの光源（図示せず）から出光する光をその一端部から内部に導入し、導光板の表面側及び裏面側へ導出させるものである。導光板３１は透明材料で形成され、例えばアクリル樹脂材が用いられている。
【００３０】
光学シート３２ａ、３２ｂは、拡散シートやプリズムシートなど、様々な種類のものを複数枚積層して用いられるものであるが、図では一枚ずつしか示していない。そして光学シート３２ａはメイン液晶パネル２０の表示のために主に用いられるものであり、光学シート３２ｂはサブ液晶パネル５０の表示のために主に用いられるものである。なお図２では、サブ液晶パネル５０側にはサブ液晶パネル５０の大きさと略同程度の大きさの開口部を有する反射シート３４を示している。この反射シート３４は、光学シート３２ｂから出光してサブ液晶パネル５０側に向かう光を、導光板３１側に反射させるものであり、メイン液晶パネル２０よりも小さいサブ液晶パネル５０において、サブ液晶パネル５０の表示に関与しない光を再利用するために用いるものである。
【００３１】
枠体３３は、矩形状をなしており、所定の幅及び高さを有する枠片からなる。そしてメイン液晶パネル２０を収容できる大きさを有している。枠体３３は導光板３１や光学シート３２ａ、３２ｂを保持することによりユニットを形成しているので、両面液晶モジュール１の組み立てが簡単になる。またメイン液晶パネル２０を収納しているので、別途メイン液晶パネル２０を固定する部材が不要でかつ両面液晶モジュール１の組み立てが簡単になると共に、機械的強度を強くすることができる。
【００３２】
補強板４０は、額縁状の枠体３３とほぼ同じ大きさを有して、その表面にはサブ液晶パネル５０よりも若干小さい開口部４１と、開口部４１の周辺にサブ液晶パネル５０を固定するための複数の突起片４２と、外周囲の端縁に枠体３３に係合する係止片４３とを有し、アルミニウムなどの板金を加工し、０．２ｍｍ程度の肉厚からなる金属材から形成されている。
【００３３】
開口部４１の周囲には、両面テープや接着剤などの接着手段（図示せず）により、サブ液晶パネル５０の外周周辺が接着されている。このように開口部４１をサブ液晶パネル５０より若干小さくし、サブ液晶パネル５０の表示に影響しない外周部と、補強板４０とを接着し、一体にすることにより、両面液晶モジュール１全体の強度を高めることができる。このような構造は非常に薄い両面液晶モジュール１の強度を高める上で非常に効果がある。
【００３４】
補強板４０の裏面、すなわちサブ液晶パネル５０が載置される面側において、開口部４１の周縁３辺に突起片４２が各々２箇所形成され、サブ液晶パネル５０の位置決めをしている。なおサブ液晶パネル５０用の光学シート３２ｂの大きさを、開口部４１を覆う大きさにして、補強板４０とサブ液晶パネル５０の間に配置することで、突起片４２を光学シート３２ｂの位置決めとして利用することができ、また光学シート３２ｂの使用面積を削減するようにしてもよい。
【００３５】
係止片４３は、枠体３３にある係止突起３５に係合させることで、枠体３３に補強板４０が固定される。このように枠体に固定された補強板４０には貫通孔４４が形成されており、枠体３３に形成されている突起３６がこの貫通孔４４を貫通する。そして貫通孔４４を貫通した突起３６にメインフレキシブル基板２４に形成された位置決め孔２５が通されて、メインフレキシブル基板２４の固定及び位置決めが行われている。
【００３６】
このように補強板４０をメイン液晶パネル２０とサブ液晶パネル５０との間に用いることにより、両面液晶モジュール１の機械的強度が高めることができる。特に補強板を金属材により形成すれば、肉薄な補強板でも、ある程度の強度を確保できるので、メイン液晶パネル２０やサブ液晶パネル５０、導光板３１が薄くなったとしても、両面液晶モジュール１の強度を確保することできる。また導光板３１と補強板４０との間に位置する光学シート３２ｂや反射シート３４に皺が発生するのを防止することができる。更には、補強板４０を導電体で形成することで、メインフレキシブル基板２４のアースとして有効に利用することもできる。
【００３７】
サブ液晶パネル５０は、基本的な構造はメイン液晶パネル２０と同様であり、液晶（図示せず）を一対のガラス基板からなる第１、第２基板５１ａ、５１ｂで貼り合わせた構成である。そして第１基板５１ａ、第２基板５１ｂのそれぞれには、液晶が狭持されている側とは反対の側において、偏光板５２ａ、５２ｂが貼り付けられている。
【００３８】
サブ液晶パネル５０にも、第２基板５１ｂ側と接続するサブフレキシブル基板５４有し、このサブフレキシブル基板５４は、メインフレキシブル基板２４上に形成されたコネクタ２６に挿入される。
【００３９】
背面カバー６０は、サブ液晶パネル５０側に配置されており、メイン液晶パネル２０、バックライト３０、補強板４０、サブ液晶パネル５０を収納する箱状に形成されている。この背面カバー６０は金属材からなる板金を整形したものであり、その材料としては、アルミニウムやステンレス、マグネシウムなどから構成されている。
【００４０】
この背面カバー６０には、第１底部である浅底部６１と、浅底部６１からのびた第２底部である深底部６２が形成されている。この浅底部６１は、メイン液晶パネル２０の額縁エリアＸにのみ形成されており、実施例においては、背面側へ折り曲げられているメインフレキシブル基板２４が存在する辺を除いた３辺に形成されている。
【００４１】
この浅底部６１は背面カバー６０内に収納されたメイン液晶パネル２０、バックライト３０、補強板４０を実質的に支えている部分であり、メイン液晶パネル２０の額縁エリアＸにおいて、補強板４０と実質的に接することになる。特に額縁エリアＸは枠体３３なども位置しているので、表示エリアＷに比べ非常に強固となっている。なお浅底部６１は補強板４０と必ずしも常に接していなければならないわけではなく、振動などにより、補強板４０や背面カバー６０が動いたときに接するくらいに接近していればよい。
【００４２】
深底部６２は、メイン液晶パネル２０の表示エリアＷに形成されており、背面カバー６０の上に配置されている補強板４０とは触れないように、補強板４０とは反対側の下方へ、浅底部６１から段差部６１´を介して形成されている。
【００４３】
このように背面カバー６０に浅底部６１と深底部６２を形成しておき、浅底部６１でメイン液晶パネル２０の額縁エリアＸを支えることにより、深底部６２とメイン液晶パネル２０の表示エリアＷとの実質的な距離を離すことができる。したがって、振動により背面カバー６０がメイン液晶パネル２０側に膨らんだり、長時間押圧されて背面カバー６０が撓んだりしても、メイン液晶パネル２０と背面カバーと間に存在するメインフレキシブル基板２４を傷つけたり、バックライト３０を押し上げたりすることがなく、またメイン液晶パネル２０が破損する恐れもない。
【００４４】
また深底部６２には、サブ液晶パネル５０を露出させる開口６３及びメインフレキシブル基板２４上に形成されたコネクタ２５が露出する開口６４ａ、コネクタ２６や各種回路素子２６´が露出する開口６４ｂが形成されている。そして図３（ｂ）からもわかるように、深底部６２の深さは、サブ液晶パネル５０よりも浅く、つまり開口６３からサブ液晶パネル５０が飛び出る深さである。このように深底部６２の深さをサブ液晶パネル５０よりも浅く、もしくは面位置としておくことにで、背面カバー６０の膨らみによる影響を抑えるために深底部６２を設けたことによる余分なスペースを確保する必要がなく、両面液晶モジュール１を薄型化する上で好ましい。
【００４５】
またメインフレキシブル基板２４を表示エリアＷ内に収まる大きさとしているので、メインフレキシブル基板２４と浅底部６１とが干渉することがない。したがって、長期の使用や振動等によって、メインフレキシブル基板２４が痛んだり、破損したりすることはない。なおメインフレキシブル基板２４は、実際には配線がプリントされた部分と、プリントされていない部分とがあり、プリントされていない部分については、額縁エリアＸに配置されていても、プリントされた配線が傷ついたりすることはないが、配線がプリントされていないメインフレキシブル基板２４の部分が浅底部６１と干渉していても、メインフレキシブル基板２４が動いたり、ずれたりする恐れがあるので、表示エリアＷ内に収まる大きさが好ましい。
【００４６】
以下に、この両面液晶モジュール１の組立て方法の一例を説明する。
【００４７】
まず、枠体３３に導光板３１を嵌め込み、嵌め込んだ導光板３１の両面に光学シート３２ａ、３２ｂを載置し、次に光学シート３２ａの上にメイン液晶パネル２０を断面Ｌ字状の枠体３３の底部に配置する。
【００４８】
次に、光学シート３２ｂの下方に補強板４０を配置し、枠体３３の係止突起３５と補強板４０の係止片４３と係合させる。
【００４９】
次に、補強板４０の開口部４１の周辺に両面接着テープを貼り付け、この両面接着テープと突起片４２によりサブ液晶パネル５０を固定する。
【００５０】
次にメイン液晶パネル２０と接続するメインフレキシブル基板２４をサブ液晶パネル５０側に折り曲げる。そして枠体３３の突起３６に、補強板４０の貫通孔４４を介して、メインフレキシブル基板２４の位置決め孔２５を通す。なおメインフレキシブル基板２４と補強板４０とを両面テープなどの接着手段により貼り付けてもよい。
【００５１】
次にメインフレキシブル基板２４のコネクタ２６にサブ液晶パネル５０に接続するサブフレキシブル基板５４を挿入する。そして、背面フレーム６０でこれらを覆うことにより両面液晶モジュール１が完成する。
【００５２】
このように組み立てた両面液晶モジュール１は、２画面式の携帯電話に搭載されるものであり、具体的には携帯電話のハウジング内部に収納され、携帯電話のメイン制御基板からのびるフレキシブル基板がコネクタ２５に接続され、各種信号が両面液晶モジュール１に入力され、各種の情報が表示される。そして携帯電話を折り曲げた状態では、携帯電話のハウジングから覗くサブ液晶パネル５０を介して表示がなされ、携帯電話を伸ばした状態では、携帯電話のハウジングから覗くメイン液晶パネル２０を介して表示がなされることになる。
【００５３】
なお、この両面液晶モジュール１は、携帯電話に限定されるものではなく、他の携帯情報端末、例えばＰＤＡなどに搭載することもできる。
【００５４】
また、実施例では第２底部について深底部６２一つだけを示したが、第２底部は複数段に形成されていてもよい。また第１底部について浅底部６１一つだけを示したが、浅底部６１がメイン液晶パネル２０の額縁エリアＸで、実質的にメイン液晶パネル２０を支えていればよく、例えば額縁エリアＸの高さが場所により異なる場合には、その高さに合わせて第１底部の深さが調整してあってもよい。
【００５５】
またメイン液晶パネル２０やサブ液晶パネル５０については、透過型の液晶パネルに限定するものではなく、半透過型の液晶パネルでもよい。またバックライトが不要な反射型であってもよい。
【００５６】
またバックライト３０についても、一つのバックライトでメイン液晶パネル２０とサブ液晶パネル５０を照射する、所謂両面発光型のバックライトを用いているが、メイン液晶パネル２０用のバックライトとサブ液晶パネル５０用のバックライトを別々に用いてもよい。
【図面の簡単な説明】
【００５７】
【図１】（ａ）は本発明に係る両面液晶モジュールの上側からの斜視図であり、（ｂ）は下側からの斜視図である。
【図２】（ａ）は図１（ｂ）に示した両面液晶モジュールの左側から観察した分解斜視図であり、（ｂ）は右側から観察した分解斜視図である。
【図３】（ａ）は図１（ｂ）のＡ−Ａ´線で切断した断面図であり、（ｂ）はＢ−Ｂ´で切断した断面図である。
【図４】従来の両面液晶モジュールの分解斜視図である。
【符号の説明】
【００５８】
１  両面液晶モジュール
２０  メイン液晶パネル
２４  メインフレキシブル基板
３０  バックライト
３１  導光板
３３  枠体
４０  補強板
５０  サブ液晶パネル
６０  背面カバー
６１  浅底部
６２  深底部
【図１】
2007086672.tif 000003
【図２】
2007086672.tif 000004
【図３】
2007086672.tif 000005
【図４】
2007086672.tif 000006